(57)【要約】【課題】スムーズに表示モニタを開閉することができ、かつ表示モニタが開いた状態においてタッチパネルの操作性を良好にする。【解決手段】電子機器は、機器本体１と、当該機器本体に対してヒンジ機構によって回転可能に取り付けられた表示モニタ４とを有しており、ヒンジ機構は機器本体に配設された第１のヒンジ部と、可動部に配設され第１のヒンジ部における摺動トルクよりもその摺動トルクが小さい第２のヒンジ部と、第１および第２のヒンジ部を連結する連結部材５，６を備え、ロックレバー１１がロック位置に位置づけられると、ロックプレート１２が連結部材を押圧して、表示モニタの第２のヒンジ部に対する回転を規制してロック状態とする。【選択図】図３
2016187120.tif 000002
【特許請求の範囲】
【請求項１】
機器本体と、当該機器本体に対してヒンジ機構によって回転可能に取り付けられた可動部とを有する電子機器であって、
前記ヒンジ機構は、前記機器本体に配設された第１のヒンジ部と、前記可動部に配設され前記第１のヒンジ部における摺動トルクよりもその摺動トルクが小さい第２のヒンジ部と、前記第１のヒンジ部と前記第２のヒンジ部とを連結する連結部材とを備え、
前記連結部材に対する前記第２のヒンジ部の回転を規制して前記可動部をロック状態とするロック手段を有することを特徴とする電子機器。
【請求項２】
前記ロック手段は、操作レバーと、当該操作レバーの動きに連動して動作するロックプレートとを有し、
前記操作レバーが所定のロック位置に位置づけられると、前記ロックプレートによって前記連結部材に対する前記第２のヒンジ部の回転が規制されることを特徴とする請求項１に記載の電子機器。
【請求項３】
前記可動部には前記連結部材が配設されるスペースが規定されており、
前記操作レバーが前記ロック位置に位置づけられた際には前記ロックプレートは前記スペースに進入することを特徴とする請求項２に記載の電子機器。
【請求項４】
前記操作レバーは前記可動部に形成され、所定の方向に延びるスリットに摺動可能に配設されており、
前記可動部には、前記所定の方向において第１の位置に第１の係止部が形成され、
前記操作レバーが前記ロック位置に位置づけられた際、前記ロックプレートの一端部が前記連結部材に当接するとともに、前記ロックプレートの他端部が前記第１の係止部に係止されて、前記ロックプレートによって前記連結部材を押圧して前記連結部材に対する前記第２のヒンジ部の回転が規制されることを特徴とする請求項２又は３に記載の電子機器。
【請求項５】
前記可動部には、前記所定の方向において前記第１の位置と異なる第２の位置に第２の係止部が形成されており、
前記操作レバーが予め定められたロック解除位置に位置づけられると、前記ロックプレートの一端部が前記連結部材から離間するとともに、前記ロックプレートの他端部が前記第２の係止部に係止されて、前記ロックプレートによる前記連結部材の押圧が解除されて前記連結部材に対する前記第２のヒンジ部の回転規制が解除されることを特徴とする請求項４に記載の電子機器。
【請求項６】
前記ロック手段は、前記可動部において移動可能に配置されたロックプレートと、前記ロックプレートを常に前記連結部材に当接する方向に所定の付勢力で付勢する付勢手段とを有することを特徴とする請求項１に記載の電子機器。
【請求項７】
前記連結部材には、円弧状部と平坦部とが形成されており、
前記可動部の前記機器本体に対する回転角度が所定の角度となると、前記ロックプレートの一端部によって前記平坦部が押圧されて、前記連結部材に対する前記第２のヒンジ部の回転を規制されることを特徴とする請求項６に記載の電子機器。
【請求項８】
前記可動部を前記所定の回転角度から前記回転角度を小さくする方向である閉じ方向に前記付勢力に抗して操作すると、前記ロックプレートの一端部が前記円弧状部に当接しつつ円弧状部を摺動することを特徴とする請求項７に記載の電子機器。
【請求項９】
前記可動部は、前記機器本体で処理されたデータを表示するための表示モニタであることを特徴とする請求項１〜８のいずれか１項に記載の電子機器。
【発明の詳細な説明】
【技術分野】
【０００１】
本発明は、可動部である表示モニタを備える電子機器に関し、特に、表示モニタがヒンジ機構によって電子機器本体に回転可能に支持された電子機器に関する。
【背景技術】
【０００２】
一般に、デジタルカメラなどの電子機器においては、液晶ディスプレイ又は有機ＥＬディスプレイなどの表示モニタが備えられている。そして、当該表示モニタをヒンジ機構によって電子機器本体に対して回転可能に支持して、様々な回転角度で表示モニタを目視することができるようにしている。特に、デジタルカメラにおいては、撮影の際に、表示モニタを任意の回転角度に調整すれば、ローアングル撮影、ハイアングル撮影、又は自分撮り撮影を容易に行うことができる（特許文献１参照）。
【０００３】
さらには、近年、操作性の向上および電子機器の小型化などを企図して、表示モニタにタッチパネルが備えられることが多い。
【先行技術文献】
【特許文献】
【０００４】
【特許文献１】特開２００５−１０１７７９号公報
【発明の概要】
【発明が解決しようとする課題】
【０００５】
ところで、表示モニタが電子機器本体に対して回転可能であって、かつ表示モニタがタッチパネルを備えている場合には、表示モニタを回転させた状態においてもユーザが容易にタッチ操作を行えることが望ましい。特に、カメラにおいて撮像光学系と表示モニタの画面がユーザ方向に向けられる自分撮り撮影の場合、つまり、表示モニタが１８０度回転した状態においては、ユーザは表示モニタの背面に備えられた操作ボタンを操作することができず、ユーザはタッチ操作を行うことになる。よって、自分撮り撮影の際にはタッチパネルの操作性が極めて重要となる。
【０００６】
タッチパネルの操作性を向上させるため、例えば、電子機器本体に第１のヒンジ部を設けて、表示モニタに第２のヒンジ部を設けるようにしたものがある。ここでは、第１および第２のヒンジ部を連結部材で連結してヒンジ機構を構成している。このヒンジ機構においては、表示モニタをスムーズに回転させるため、第２のヒンジ部における摺動トルクを第１のヒンジ部における摺動トルクよりも必ず小さくする必要がある。
【０００７】
ところが、上述のヒンジ機構を用いた場合に、表示モニタを１８０度回転させた状態でタッチパネル操作を行うと、第２のヒンジ部における摺動トルクが第１のヒンジ部における摺動トルクよりも小さいので、表示モニタが回動してしまうという事態が生じる。この結果、タッチパネルの操作性が低下してしまう。
【０００８】
そこで、本発明の目的は、スムーズに表示モニタを開閉することができるとともに、表示モニタが開いた状態においてタッチパネルの操作性を良好にすることができる電子機器を提供することにある。
【課題を解決するための手段】
【０００９】
上記の目的を達成するため、本発明による電子機器は、機器本体と、当該機器本体に対してヒンジ機構によって回転可能に取り付けられた可動部とを有する電子機器であって、前記ヒンジ機構は、前記機器本体に配設された第１のヒンジ部と、前記可動部に配設され、前記第１のヒンジ部における摺動トルクよりもその摺動トルクが小さい第２のヒンジ部と、前記第１のヒンジ部と前記第２のヒンジ部とを連結する連結部材とを備え、前記連結部材に対する前記第２のヒンジ部の回転を規制して前記可動部をロック状態とするロック手段を有することを特徴とする。
【発明の効果】
【００１０】
本発明によれば、連結部材に対する第２のヒンジ部の回転を規制してロック状態とするロック手段を備えているので、表示モニタなどの可動部をスムーズに開閉することができるばかりでなく、可動部が開いた状態においてタッチパネルの操作性を良好にすることができる。
【図面の簡単な説明】
【００１１】
【図１】本発明の第１の実施形態によるデジタルカメラの一例を説明するための図であり、（ａ）は表示モニタを閉じた状態でデジタルカメラを正面側から示す斜視図、（ｂ）は表示モニタを開いた状態でデジタルカメラを正面側から示す斜視図、（ｃ）は表示モニタを閉じた状態でデジタルカメラを背面側から示す斜視図、（ｄ）は表示モニタを開いた状態でデジタルカメラを背面側から示す斜視図である。
【図２】図１に示すカメラに備えられたヒンジ部の構成および動作を説明するための図であり、（ａ）は表示モニタを閉じた状態でカメラを側面から見た図、（ｂ）は表示モニタを開いて９０度回転させた状態を示す側面図、（ｃ）は表示モニタを開いて１８０度回転させた状態を示す側面図である。
【図３】図１に示すカメラにおいて表示モニタを１８０度開いた状態で行われるロック操作を説明するための図であり、（ａ）はカメラを側面から見た図、（ｂ）はカメラを背面から見た図、（ｃ）は（ｂ）に示す二点鎖線で囲んだ部分を拡大して示す図、（ｄ）はロック部を拡大して示す図である。
【図４】図１に示すカメラにおいて表示モニタを１８０度開いた状態で行われるロック解除操作を説明するための図であり、（ａ）はカメラを側面から見た図、（ｂ）はカメラを背面から見た図、（ｃ）は（ｂ）に示す二点鎖線で囲んだ部分を拡大して示す図、（ｄ）はロック部を拡大して示す図である。
【図５】図１に示すカメラにおいて表示モニタを閉じた状態で示す断面図である。
【図６】本発明の第２の実施形態によるカメラにおいて表示モニタを開いた状態を説明するための図であり、（ａ）は表示モニタを１８０度開いた状態における断面図、（ｂ）は表示モニタを１８０度開いた状態における断面図である。
【発明を実施するための形態】
【００１２】
以下に、本発明の実施の形態による電子機器の一例について図面を参照して説明する。なお、以下の説明では、電子機器の一例としてデジタルカメラを例に挙げて説明するが、デジタルカメラに限らず、他の電子機器、例えば、カメラを備える携帯電話機、タブレット端末にも適用することができる。
【００１３】
［第１の実施形態］
図１は、本発明の第１の実施形態によるデジタルカメラの一例を説明するための図である。そして、図１（ａ）は表示モニタを閉じた状態でデジタルカメラを正面側から示す斜視図であり、図１（ｂ）は表示モニタを開いた状態でデジタルカメラを正面側から示す斜視図である。また、図１（ｃ）は表示モニタを閉じた状態でデジタルカメラを背面側から示す斜視図であり、図１（ｄ）は表示モニタを開いた状態でデジタルカメラを背面側から示す斜視図である。
【００１４】
図示のデジタルカメラ（以下単にカメラと呼ぶ）は、カメラ本体（機器本体）１および表示モニタ（可動部）４を有しており、表示モニタ４は、後述のヒンジ部（ヒンジ機構）によってカメラ本体１に対して回転可能に支持されている。そして、表示モニタ４には、液晶ディスプレイなどの表示部４ｃが搭載されている。
【００１５】
表示部４ｃには撮影の結果得られた撮影画像又は記録媒体に記録された画像が再生画像として表示される。さらに、表示部４ｃにはシャッター速度および絞り値などの撮影条件、そして、撮影枚数およびメニューなどが表示される。図示の例では、表示部４ｃにはタッチパネルが備えてられており、ユーザは、表示部４ｃをタッチ操作することによって、例えば、撮影の際のレリーズ操作、ズーム操作、および撮影パラメータ変更などの各種操作を行うことができる。また、画像再生の際には、ユーザはタッチ操作によって、画像の送り操作、拡大および縮小操作など様々な操作を行うことができる。
【００１６】
カメラ本体１の前面（正面）にはＣＣＤなどの撮像素子を含むレンズ鏡筒２が配置されている。レンズ鏡筒２に入射した被写体像（光学像）は撮影光学系によって撮像素子に結像される。そして、撮像素子は光学像に応じた画像信号を出力する。
【００１７】
撮影モードの際には、撮像素子の出力である画像信号に応じた撮影画像（ライブビュー画像又はスルー画像ともいう）が逐次表示部４ｃに表示される。そして、ユーザが任意のタイミングでレリーズ操作を行うと、撮像素子の出力である画像信号に対して各種の画像処理が行われて、画像データとして記憶部（図示せず）に記憶される。
【００１８】
再生モードの際には、記憶部に記憶された画像データが読み出されて、画像データに応じた画像が表示部４ｃに表示されるとともに、当該画像に付随する情報が表示部４ｃに表示される。
【００１９】
ここで、図１に示すカメラに備えられたヒンジ部（ヒンジ機構）について説明する。
【００２０】
図２は、図１に示すカメラに備えられたヒンジ部の構成および動作を説明するための図である。そして、図２（ａ）は表示モニタを閉じた状態でカメラを側面から見た図であり、図２（ｂ）は表示モニタを開いて９０度回転させた状態を示す側面図である。また、図２（ｃ）は表示モニタを開いて１８０度回転させた状態を示す側面図である。
【００２１】
図１および図２を参照して、ヒンジ部は、カメラの一側面（例えば、レンズ鏡筒側から見て右側面）および他の側面（例えば、左側面）に配置されている。右側面に配置されたヒンジ部は、第１の回転軸５ａ、第２の回転軸５ｂ、および連結部材５を有しており、第１および第２の回転軸５ａおよび５ｂは連結部材５によって連結されている。
【００２２】
第１の回転軸５ａはカメラ本体１に配設されており、カメラ本体１の右側面に支持されている。第２の回転軸５ｂは表示モニタ４に配設されており、表示モニタ４の右側面に支持されている。そして、連結部材５は、第１の回転軸５ａによってカメラ本体１に設けられた金属シャーシ（図示せず）に回転可能に支持されるとともに、第２の回転軸５ｂによって表示モニタに設けられた金属シャーシ８（図１（ｄ）参照）に回転可能に支持されている。
【００２３】
同様に、左側面に配置されたヒンジ部は、カメラ本体１に配設された第３の回転軸（図示せず）、表示モニタ４に配設された第４の回転軸（図示せず）、および連結部材６を有している。そして、連結部材６は、第３および第４の回転軸によって、連結部材５と同様にして回転可能に支持されている。なお、第１の回転軸５ａと第３の回転軸、そして、第２の回転軸５ａと第４の回転軸とは同軸上に配置されている。なお、以下の説明では、第３および第４の回転軸にそれぞれ参照番号６ａおよび６ｂを付す。
【００２４】
第１の回転軸５ａを中心として連結部材５がカメラ本体１に対して回転し、第２の回転軸５ｂを中心として表示モニタ４が連結部材５に対して回転する。連結部材５のカメラ本体１に対する回転角度と連結部材５の表示モニタ４に対する回転角度は、例えば、それぞれ９０度とされる。
【００２５】
なお、連結部材５のカメラ本体１に対する回転角度を７０度、連結部材５の表示モニタ４に対する回転角を１１０度とするなど、カメラのレイアウトに応じて回転角度を変更するようにしてもよい。いずれにしても、連結部材５のカメラ本体１に対する回転角度と連結部材５の表示モニタ４に対する回転角との合計が１８０度となればよい。
【００２６】
表示モニタ４をヒンジ部回りにカメラ本体１に対して回転させる際には、連結部材６についても連結部材５と同様に回転する。そして、連結部材５および６の回転を同期させるため、連結部材５および６間には金属製のステー７が配設されている。
【００２７】
ここで、２つのヒンジ部の回転順序および摺動トルクに関して説明する。いま、第１の回転軸５ａおよび第３の回転軸６ａを中心として回転する部分を本体側ヒンジと呼び、第２の回転軸５ｂおよび第４の回転軸６ｂを中心として回転する部分を表示部側ヒンジと呼ぶ。
【００２８】
上記の２軸ヒンジの場合、回転順序によっては表示モニタ４とカメラ本体１とが干渉することがある。例えば、表示モニタ４を図２（ａ）に示す状態から開く際には、表示部側ヒンジが先に回転を開始すると、表示モニタ４とカメラ本体１とが干渉する。また、表示モニタ４を図２（ｃ）に示す状態から閉じる際には、本体側ヒンジが先に回転を開始すると、カメラ本体１と表示モニタ４とが干渉する。
【００２９】
表示モニタ４を滑らかに開閉するためには２通りの手法がある。一つ目の手法では、表示モニタ４を開く場合には、本体側ヒンジを先に回転させ、表示モニタ４を閉じる場合には、表示部側ヒンジを先に回転させるようにヒンジ部を構成する。ところが、この手法では、表示モニタ４を１８０度開いた状態（開状態）における脱出トルクを大きくするため、別途カム構造および付勢ばねが必要になって、ヒンジ部が大型化して、しかもコスト増となってしまう。
【００３０】
二つ目の手法では、ヒンジ部を、表示部側ヒンジの摺動トルクを本体側ヒンジの摺動トルクより小さくなるように設定する。そして、常に表示部側ヒンジが先に回転するようにする。この場合、図２（ａ）に示す状態から表示モニタ４を開く場合には、先に表示部側ヒンジが回転するので表示モニタ４とカメラ本体１とが干渉する。
【００３１】
この干渉に対処するため、ここでは、カメラ本体１側に摺動面３ａおよび３ｂを設け、表示モニタ４側に４ａおよび４ｂを設ける。そして、表示モニタ４を開く場合には、摺動面３ａと摺動面４ａ、摺動面３ｂと摺動面４ｂとにおいて摺動しつつ表示モニタ４が開かれる。
【００３２】
一方、図２（ｃ）に示す状態から表示モニタ４を閉じる場合には、先に表示部側ヒンジが回転して、表示モニタ４とカメラ本体１とは当接することなく閉じられる。
【００３３】
図１（ｄ）において、表示モニタ４はフレキシブルプリント基板（ＦＰＣ：以下ヒンジＦＰＣと呼ぶ）９によってカメラ本体１と電気的に接続されている。なお、表示モニタ４とカメラ本体１とが電気的に接続できればよいので、ＦＰＣ（フレキシブル配線部）に限らず、リード線を束ねたケーブルなどを用いるようにしてもよい。
【００３４】
続いて、図１に示すカメラにおいて、表示モニタ４の回転をロックする回転ロック機構について説明する。
【００３５】
図３は、図１に示すカメラにおいて表示モニタ４を１８０度開いた状態で行われるロック操作を説明するための図である。そして、図３（ａ）はカメラを側面から見た図であり、図３（ｂ）はカメラを背面から見た図である。また、図３（ｃ）は図３（ｂ）に示す二点鎖線で囲んだ部分を拡大して示す図であり、図３（ｄ）はロック部を拡大して示す図である。
【００３６】
表示モニタ４の樹脂製カバーには、図３（ａ）において上下方向（つまり、表示モニタ４の側面に沿った方向）に長孔部（スリット）１１ａが形成されている。そして、ロックレバー（操作レバー）１１が当該長孔部１１ａにロックレバー１１の軸体が挿入されて、軸体の他端部が樹脂製カバーの裏側に配設されたロックプレート１２に熱カシメによって固定される。
【００３７】
これによって、ロックレバー１１は長孔部１１ａにスライド可能（摺動可能）に嵌合されて、ロックプレート１２は長孔部１１ａの方向に沿って移動可能となる。よって、ロックレバー１１がスライド操作されると、ロックプレート１２はロックレバー１１に連動して長孔部１１の方向に沿って移動する。なお、ロックレバー１１は熱カシメに限らず、例えば、ビス締めなどでロックプレート１２に固定するようにしてもよい。
【００３８】
図３（ａ）に示すように、ロックレバー１１を下側にスライドさせて、ロックレバー１１を図３（ｃ）および図３（ｄ）に示すロック位置に位置づけると、ロックプレート１２の下端（一端部）に形成された凸部（突起部）１２ａが連結部材５の一部分（平坦部）５ｃと当接する。
【００３９】
一方、ロックプレート１２の上端（他端部）には板ばね部１２ｂが形成されており、この板ばね部１２ｂが表示モニタ４の樹脂製カバー４ａに形成された第１の凹部（第１の係止部）１１ｂに嵌合する（つまり、係止される）。このように、ロックレバー１１をロック位置にスライド操作すると、凸部１２ａが連結部材５に当接し、板ばね部１２ｂが第１の凹部１１ｂに嵌合する。
【００４０】
これによって、凹部１２ａによって連結部材５が押圧された状態となって、表示モニタ４の連結部材５（および６）に対する回転が規制される。つまり、表示モニタ４はロックされた状態となる。この結果、ロックレバー１１をロック位置にスライド操作すれば、表示モニタ４を１８０度開いた状態（つまり、表示モニタ４が所定の回転角度である場合）においてユーザがタッチ操作を行っても、表示モニタ４が回転することはない。
【００４１】
なお、前述のように、表示モニタ４の開閉をスムーズに行うため、本体側ヒンジは表示部側ヒンジよりも摺動トルクが大きく設定されている。つまり、本体側ヒンジの摺動トルクは表示モニタ４を開閉できる範囲で大きくすることができる。よって、ユーザがタッチ操作を行った場合においても、タッチ操作程度の力では連結部材５および６がカメラ本体１に対して回転することはない。
【００４２】
図４は、図１に示すカメラにおいて表示モニタ４を１８０度開いた状態で行われるロック解除操作を説明するための図である。そして、図４（ａ）はカメラを側面から見た図であり、図４（ｂ）はカメラを背面から見た図である。また、図４（ｃ）は図４（ｂ）に示す二点鎖線で囲んだ部分を拡大して示す図であり、図４（ｄ）はロック部を拡大して示す図である。
【００４３】
表示モニタ４のロックを解除する際には、ロックレバー１１を上側にスライドさせて、ロックレバー１１をロック解除位置に位置づける。図３（ｄ）および図４（ｄ）に示すように、前述の第１の凹部１１ｂの上側において、樹脂製カバー４ａには第２の凹部（第２の係止部）１１ｃが形成されている。ロック解除位置においては、ロックプレート１２の先端（凸部）１２ａは連結部材５から離れた位置（離間した位置）にあり、さらに、ロックプレートの板ばね部１２ｂは樹脂製カバー４ａに形成された第２の凹部１１ｂにクリック固定される（係止される）。これによって、凸部１２ａによる連結部材５の押圧（つまり、回転規制）が解除されて、ユーザは表示モニタ４を回転させて閉じることができる。
【００４４】
図５は、図１に示すカメラにおいて表示モニタ４を閉じた状態で示す断面図である。
【００４５】
ロックレバー１１がロック解除位置にあると、ロックプレート１２は、表示モニタ４の連結部材５に対する回転軌跡から離れている。このため、ロック解除を行った際には、表示モニタ４の回転動作に支障が生じることはない。
【００４６】
表示モニタ４を閉じた状態においては、図５に示すように、連結部材５（および６）は表示モニタ４内に入り込む。一方、表示モニタ４を回転させ開いた状態においては、連結部材５が入り込んでいた部分がスペースとなる。当該スペースにロックレバー１１の軸体およびロックプレート１２を配設すれば、カメラサイズを大きくすることなく、カメラに表示モニタ４の回転ロック機構を追加することができる。
【００４７】
つまり、表示モニタ４には連結部材および回転軸が配設されるスペースが規定されて、ロックレバー１１がロック位置に位置づけられた際にはロックプレート１２は当該スペースに進入することになる。
【００４８】
このように、本発明の第１の実施形態では、表示モニタ４を１８０度開いた際に、ロックレバーをロック位置にスライドさせると、表示モニタ４がロック状態となるので、表示モニタ４の開閉操作が損なわれることなく、しかも表示モニタが開いた状態においてタッチパネルの操作性を良好にすることができる。
【００４９】
［第２の実施形態］
続いて、本発明の第２の実施形態によるカメラについて説明する。なお、ヒンジ部の構成および動きについては、第１の実施形態と同様であるので、ここでは説明を省略する。また、第１の実施形態におけるカメラと同一の構成要素については同一の参照番号を付す。
【００５０】
図６は、本発明の第２の実施形態によるカメラにおいて表示モニタを開いた状態を説明するための図である。そして、図６（ａ）は表示モニタを１８０度開いた状態における断面図であり、図６（ｂ）は表示モニタを１８０度開いた状態における断面図である。なお、第２の実施形態では、ロックプレートを参照番号２２で示す。
【００５１】
図６（ａ）に示す表示モニタ４を１８０度開いた状態では、コイルばね２３によってロックプレート２２およびロックレバー（図示せず）を常にロック方向に付勢する。ロックプレート２２において第２の回転軸５ｂから離れた位置にある上端（後端）には曲げ平面部２２ｃが形成される。そして、当該曲げ平面部２２ｃには、かしめピン２２ｂがかしめられている。
【００５２】
かしめピン２２ｂにはコイルばね２３が挿通されて、表示モニタ４の樹脂製カバー４ａに形成された支持平面部４ｂとロックプレート２２の曲げ平面部２２ｃとの間にコイルばね２３を挟み込む。これによって、ロックプレート２２を常時第２の回転軸５ｂ側に付勢する。
【００５３】
第１の実施形態と同様にして、表示モニタ４が１８０度開いた状態においては、ロックプレート２２の下端（先端）に形成された凸部２２ａが連結部材５の平坦部５ｃと当接する。ロックプレート２２はコイルばね２３によって図中下向きに付勢されているので、凸部２２は連結部材５を下向きに押圧する。これによって、表示モニタ４の連接部材５（および６）に対する回転が阻止される。つまり、表示モニタ４はロックされた状態となる。この結果、表示モニタ４を１８０度開いた状態において、ユーザがタッチ操作を行っても、表示モニタ４が回転することはない。
【００５４】
表示モニタ４を閉じる場合には、ロックレバーをコイルばね２３の付勢力に抗する方向に操作しつつ、表示モニタ４を回転させる。これによって、ロックプレート２２の凸部２２ａが連結部材５の平坦部５ｃを乗り越えると、ユーザがロックレバーから手を離してもロックプレート２２は連結部材２５の円弧状部（Ｒ形状部）を滑る。そして、ユーザは閉じ状態まで表示モニタ４を回転させることができる。
【００５５】
図６（ｂ）に示す表示モニタ４が閉じた状態から開く際においても同様にして、表示モニタ４を開く方向に回転すると、ロックプレート２２の凸部２２ａが連結部材のＲ形状部を滑って表示モニタ４が回転する。そして、表示モニタ４が１８０度開いた状態で、前述のように表示モニタ４がロックされる。
【００５６】
なお、ここでは、付勢部材としてコイルばねを用いるようにしたが、表示モニタ内のスペースに応じて引っ張りばね又は捩じりばねなどを用いるようにしてもよい。
【００５７】
このように、本発明の第２の実施形態においても、表示モニタ４を１８０度開いた際には表示モニタ４がロック状態となり、表示モニタ４の開閉操作が損なわれることなく、しかも表示モニタが開いた状態においてタッチパネルの操作性を良好にすることができる。
【００５８】
以上、本発明の好ましい実施形態について説明したが、本発明はこれらの実施形態に限定されず、その要旨の範囲内で種々の変形及び変更が可能である。
【符号の説明】
【００５９】
１  カメラ本体
２  レンズ鏡筒
３  トップカバー
４  表示モニタ
５，６  連結部材
７  ステー
８  金属シャーシ
９  ＦＰＣ
１１  ロックレバー
１２，２２  ロックプレート
【図１】
2016187120.tif 000003
【図２】
2016187120.tif 000004
【図３】
2016187120.tif 000005
【図４】
2016187120.tif 000006
【図５】
2016187120.tif 000007
【図６】
2016187120.tif 000008